(57)【要約】【課題】ユーザにとってより使いやすいリピート再生機能を備えた再生装置を提供する。【解決手段】所定の再生範囲について繰返し再生を行う再生装置において、繰返し再生の再生回数の設定を受け入れる回数設定手段と、回数設定手段により設定された再生回数分の繰返し再生を行った後も繰返し再生を継続するとともに、回数設定手段により設定された再生回数以降の繰返し再生については（ステップ５０）、各回の再生が終了する毎に（ステップ４７）、その旨を通知する（ステップ５１、５２）制御手段（ステップ４１〜５２）とを設ける。【選択図】図４
2010157291.tif 000002
【特許請求の範囲】
【請求項１】
所定の再生範囲について繰返し再生を行う再生装置において、
繰返し再生の再生回数の設定を受け入れる回数設定手段と、
前記回数設定手段により設定された再生回数分の繰返し再生を行った後も繰返し再生を継続するとともに、前記回数設定手段により設定された再生回数以降の繰返し再生については、各回の再生が終了する毎に、その旨を通知する制御手段とを具備することを特徴とする再生装置。
【請求項２】
前記通知手段は、前記各回の再生が終了した旨の通知を、それまでの再生回数に応じた所定の出力を行うことによって行うものであることを特徴とする請求項１に記載の再生装置。
【請求項３】
前記それまでの再生回数に応じた所定の出力は、該再生回数を表示することであることを特徴とする請求項１又は２に記載の再生装置。
【請求項４】
繰返し再生を行っている間に、前記回数設定手段により設定された再生回数の変更を受け入れる回数設定変更手段を有することを特徴とする請求項１〜３のいずれか１項に記載の再生装置。
【請求項５】
請求項１〜４のいずれかの再生装置における各手段としてコンピュータを機能させることを特徴とするプログラム。
【請求項６】
所定の再生範囲について繰返し再生を行う再生装置における繰返し再生方法であって、
繰返し再生の再生回数の設定を受け入れる回数設定工程と、
前記回数設定工程で設定された再生回数分の繰返し再生を行った後も繰返し再生を継続するとともに、前記回数設定工程で設定された再生回数以降の繰返し再生について、各回の再生が終了する毎に、その旨を通知する制御工程とを具備することを特徴とする繰返し再生方法。
【発明の詳細な説明】
【技術分野】
【０００１】
本発明は、所定の再生範囲について繰返し再生を行う再生装置、該再生装置における各手段としてコンピュータを機能させるプログラム、及び該再生装置に適した繰返し再生方法に関する。
【背景技術】
【０００２】
近年、ポータブル、据付、車載等の各種オーディオ装置において、ＣＤ（コンパクトディスク）やＭＤ（ミニディスク）のような記録媒体に加え、ハードディスクやメモリ等の大容量デバイスに記録された楽曲を再生する装置も一般的になっている。このような装置においては、楽曲を記録している媒体を問わず、楽曲再生時に、ディスク１枚単位のリピート再生、指定区間でのリピート再生、アルバム単位のリピート再生等が一般的に行われている。その際、リピート回数を予め設定し、その回数のみリピート動作を行うようにした技術も知られている。
【０００３】
一方、楽曲の区切りとは無関係に、ユーザが任意に指定することができる区間についてリピート再生を行う技術も知られている（たとえば、特許文献１参照）。この技術においては、リピート再生がなされる部分の先頭位置を再生した時点でリピート再生開始位置の設定を受け入れ、さらに終了位置を再生した時点でリピート再生終了位置の設定を受け入れるようにしている。そして、再生終了位置が設定された時点で、リピート再生部分の再生を、指定された回数だけ反復して行い、該回数の反復再生が終了すると、反復終了位置からの再生を再開するようにしている。あるいは、リピート再生終了位置の設定がなされた時点では反復再生を行わず、ひととおりの再生が終了して再度再生をした場合に、既に設定されたリピート再生開始位置及びリピート再生終了位置、並びに指定された反復回数に基づいてリピート再生を行うようにしている。
【特許文献１】特開２００４−２３４７９６号公報
【発明の開示】
【発明が解決しようとする課題】
【０００４】
しかしながら、上述の従来技術によれば、リピート再生の対象とされた各楽曲についてリピート再生を行うに際し、各楽曲のうちの最終楽曲の再生が終了した後、ただちに最初の楽曲の再生が開始されるので、各対象楽曲についての再生がいつ一巡したのかを知ることができない場合がある。また、リピート再生の対象とされた各楽曲が繰り返し再生されるうちに、リピート再生が何回行われたかを把握することができなくなる場合もある。また、リピート再生の対象とされた各楽曲について、設定された回数分の再生が終了したとき、リピート再生も終了するので、ユーザは、当該各楽曲についてのリピート再生をそのまま継続したい場合には、再度、リピート再生の設定を行う必要がある。リピート再生中にリピート再生の回数を増やしたい場合にも、その都度、リピート再生の再設定を行う必要がある。
【０００５】
本発明の目的は、このような従来技術の問題点に鑑み、ユーザにとってより使いやすいリピート再生機能を備えた再生装置を提供することにある。
【課題を解決するための手段】
【０００６】
この目的を達成するため、第１の発明に係る再生装置は、所定の再生範囲について繰返し再生を行う再生装置において、繰返し再生の再生回数の設定を受け入れる回数設定手段と、前記回数設定手段により設定された再生回数分の繰返し再生を行った後も繰返し再生を継続するとともに、前記回数設定手段により設定された再生回数以降の繰返し再生については、各回の再生が終了する毎に、その旨を通知する制御手段とを具備することを特徴とする。
【０００７】
第２の発明に係る再生装置は、第１発明において、前記通知手段は、前記各回の再生が終了した旨の通知を、それまでの再生回数に応じた所定の出力を行うことによって行うものであることを特徴とする。
【０００８】
第３の発明に係る再生装置は、第１又は第２発明において、前記それまでの再生回数に応じた所定の出力は、該再生回数を表示することであることを特徴とする。
【０００９】
第４の発明に係る再生装置は、第１〜第３のいずれかの発明において、繰返し再生を行っている間に、前記回数設定手段により設定された再生回数の変更を受け入れる回数設定変更手段を有することを特徴とする。
【００１０】
第５の発明に係るプログラムは、第１〜第４のいずれかの発明に係る再生装置における各手段としてコンピュータを機能させることを特徴とする。
【００１１】
第６の発明に係る繰返し再生方法は、所定の再生範囲について繰返し再生を行う再生装置における繰返し再生方法であって、繰返し再生の再生回数の設定を受け入れる回数設定工程と、前記回数設定工程で設定された再生回数分の繰返し再生を行った後も繰返し再生を継続するとともに、前記回数設定工程で設定された再生回数以降の繰返し再生について、各回の再生が終了する毎に、その旨を通知する制御工程とを具備することを特徴とする。
【発明の効果】
【００１２】
本発明によれば、ユーザにとってより使いやすいリピート再生機能を備えた再生装置を提供することができる。
【発明を実施するための最良の形態】
【００１３】
図１は、本発明の一実施形態に係るオーディオ装置の構成を示すブロック図である。同図に示すように、この装置は、装置の各部を制御するシステムマイコン１、装填されたＣＤに記録されたデータを読み出してデジタル音声信号を出力するＣＤメカ部２、外部からのアナログ音声信号の入力を受け入れる入力端子３、放送電波を受信して音声信号を出力するチューナ４、入力端子３又はチューナ４からの入力のうちの１つを選択するためのセレクタ５、セレクタ５からのアナログ音声信号をデジタル音声信号に変換するＡＤコンバータ６、ＡＤコンバータ６又はＣＤメカ部２からのデジタル音声信号に対し所定の信号処理を施して出力するＤＳＰ（デジタル・シグナル・プロセッサ）７、ＤＳＰ７からのデジタル音声信号をアナログ音声信号に変換するＤＡコンバータ８、ＤＡコンバータ８からのアナログ音声信号を増幅するアンプ部９、アンプ部９からの音声信号を音響に変換するスピーカ１０、システムマイコン１に対して操作指示を与えるための操作部１１、システムマイコン１からの画像データに基づき画像表示を行う表示部１２、ＤＳＰ７がアクセスするＲＡＭ１３及びハードディスク１４、ＤＳＰ７がアクセスするメモリカード１５を装着するためのメモリカードスロット１６、並びにＤＳＰ７がアクセスするＵＳＢメモリ１７にアクセスするためのＵＳＢコントローラ１８を備える。ＤＳＰ７はＡＤコンバータ６又はＣＤメカ部２からのデジタル音声信号のうちいずれを処理するかを選択するためのセレクタ７ａを備える。
【００１４】
操作部１１は種々の操作キーを備え、表示部１２と協働してユーザインタフェースを構成する。システムマイコン１は、操作部１１を介して与えられる指示に応じ、セレクタ５や、ＣＤメカ部２、ＤＳＰ７、ＤＡコンバータ８を制御し、指示された音源に基づく再生音をスピーカ１０から出力させる。また、ＤＳＰ７により、ＲＡＭ１３や、ハードディスク１４、メモリカード１５、ＵＳＢメモリ１７にアクセスし、これらの記憶デバイスに対して、ＤＳＰ７が処理するデジタル音声信号に基づいてＭＰ３やＷＭＡ等の楽曲ファイルを記憶させたり、これらの記憶デバイスに記憶されている楽曲ファイルに基づいて再生を行ったり、これらの記憶デバイス間で楽曲ファイルの転送やコピーを行ったりする。楽曲ファイルの形式としては、たとえばＭＰ３やＷＭＡが該当する。
【００１５】
システムマイコン１は、また、操作部１２を介して与えられる指示に応じ、ＣＤメカ部２に装填されたＣＤに記録されている楽曲データや、メモリカード１６等の記憶デバイスに記憶されている楽曲ファイルに基づき、ＤＳＰ７により、リピート再生やランダム再生を行う機能を有する。その際、リピート再生における再生範囲の選択や、リピート再生において予定しているリピート回数（以下、「リピート予定回数Ｎ」という。）の設定、リピート再生の形態の指定等を受け入れる。再生範囲の選択の受入れは、たとえば、リピート再生の対象とする楽曲ファイル、楽曲ファイルが格納されたフォルダ、好みの楽曲ファイルを登録したプレイリスト、楽曲ファイルを記憶している記憶デバイス等の選択を個々に又は範囲指定により受け入れることよって行われる。ＣＤに基づいてリピート再生を行う場合には、ＣＤ中の全楽曲や、１つ又は複数のトラックを対象として選択を受け入れることができる。リピート再生の形態としては、たとえば、リピート再生の再生範囲内において、通常の順序で再生を行うものや、ランダムに再生を行うものが該当する。ユーザは好みの形態を指定することができる。リピート再生を行っている間、システムマイコン１は、選択されたリピート再生の再生範囲や、設定されたリピート再生におけるリピート予定回数Ｎ、リピート再生の形態等に関する変更を受け入れることができる。
【００１６】
リピート再生に際し、システムマイコン１は、リピート再生の再生範囲を再生した回数（以下、「リピート済み回数ｎ」という。）がリピート予定回数Ｎに達したとき、及びその後もリピート再生が継続された場合における再生範囲についての再生が１回終了する毎に、その旨を示す通知（以下、「リピート再生終了通知」という。）をユーザに対して行う。リピート再生終了通知はユーザによる何らかの操作によってリピート再生が終了されない限り、続行される。リピート再生終了通知は、所定の通知機能のオン・オフを所定回数ｍだけ繰り返すことにより行われる。すなわち、所定の周波数でｍ周期分だけ通知機能を動作させることにより行われる。その際、１周期の間におけるオン・オフの割合や、１周期の長さを、各周期ごとに、あるいはリピート済み回数ｎに応じて変化させるようにしてもよい。所定の通知機能としては、たとえば、ＬＥＤ等を表示する表示機能や、ビープ音等を発する音声出力機能、バイブレーション等により振動を発生する振動発生機能が該当する。
【００１７】
１回のリピート再生終了通知において通知機能を動作させる所定回数ｍはリピート済み回数ｎに応じて変化する。所定回数ｍとしては、たとえば、リピート再生終了通知を行う時点におけるリピート済み回数ｎから、リピート予定回数Ｎから１を減じた値を差し引いた値（ｍ＝ｎ―（Ｎ−１））が該当する。たとえばリピート予定回数Ｎの設定値が１であるとすれば、１回リピートした時点で１回、２回リピートした時点で２回、３回リピートした時点では３回、通知機能のオン・オフが繰り返されることになる。ただし、所定回数ｍが多くなると、ユーザが通知機能の動作回数ｍを認識し難くなることを考慮し、所定回数ｍには上限を設けるようにしてもよい。たとえば、上述のリピート予定回数Ｎの設定値が１である場合の例において、所定回数ｍの上限を３とし、リピート済み回数ｎが３回以上の場合には一律に３回だけ通知機能のオン・オフを繰り返すようにしてもよい。
【００１８】
図２は図１の装置におけるリピート再生処理を示すフローチャートである。この処理では上述のリピート再生終了通知を行うようにしている。この処理は、リピート再生による再生範囲の選択、リピート再生におけるリピート予定回数Ｎの設定、リピート再生の形態の指定等を受け入れた後、リピート再生の開始が指示されたことに応答し、システムマイコン１により、所定のプログラムに従って行われる。
【００１９】
処理を開始すると、システムマイコン１は、ステップ２１、２４、２６、及び２７の処理を繰り返すことにより、選択された再生範囲についてのリピート再生を行いながら（ステップ２６）、リピート予定回数Ｎの変更要求の有無（ステップ２１）、再生範囲の設定・変更の有無（ステップ２４）、リピート終了位置へ到達したかどうか（ステップ２７）についての監視を行う。リピート終了位置とは、選択された再生範囲についての１回のリピート再生を終了するときの再生位置である。リピート再生を、選択された再生範囲においてランダム再生を行うことにより実施する場合には、リピート終了位置は大体において毎回異なることになる。
【００２０】
この間、ステップ２１においてリピート予定回数Ｎの変更要求があったと判定した場合には、要求に従い、ステップ２２において、リピート予定回数Ｎの新たな設定を受け入れる。さらにステップ２３において、設定されたリピート予定回数Ｎを、以前の設定値Ｎに代えて保存することによりリピート予定回数Ｎの変更を実施する。この後、上述のリピート再生及び監視（ステップ２１、２４、２６、及び２７）を続行する。
【００２１】
ステップ２４において再生範囲の設定・変更がなされたと判定した場合には、ステップ２５において、リピート済み回数ｎのカウンタＣを初期化し、設定・変更がなされた再生範囲を新たに選択された再生範囲として、該再生範囲の再生（ステップ２６）及び上述の監視（ステップ２１、２４、２７）を開始する。
【００２２】
ステップ２７においてリピート終了位置に到達したと判定した場合には、ステップ２８において、リピート済み回数ｎのカウンタＣをインクリメントする。さらに、ステップ２９において、カウンタＣの内容に基づき、リピート済み回数ｎがリピート予定回数Ｎ以上かどうかを判定する。リピート予定回数Ｎ以上ではいないと判定した場合にはステップ２１に戻り、選択された再生範囲の再生（ステップ２６）及び上述の監視（ステップ２１、２４、２７）を続行する。リピート予定回数Ｎ以上であると判定した場合には、ステップ３０において、その旨をユーザへ通知するリピート再生終了通知を行う。その後、選択された再生範囲の再生（ステップ２６）及び上述の監視（ステップ２１、２４、２７）を続行する。
【００２３】
このようにして、リピート予定回数Ｎの変更、及び再生範囲の設定・変更を受け入れながら（ステップ２１〜２５）リピート再生を行い（ステップ２６）、リピート済み回数ｎがリピート予定回数Ｎに達した場合、及びその後の各回における再生範囲の再生が終了する毎に、リピート再生終了通知が行われる（ステップ２７〜３０）。この間に、ユーザの指示によってリピート再生が停止されたり、リピート再生以外の他の動作へ移行したりすることがない限り、図２のリピート再生処理は継続される。
【００２４】
図３は上述のステップ３０におけるリピート再生終了通知処理の詳細を示すフローチャートである。処理を開始するとまず、ステップ３１及び３２において、通知機能の動作をオン状態とし、所定時間が経過するのを待機する。所定時間が経過すると、ステップ３３及び３４において、通知機能の動作をオフ状態とし、所定時間が経過するのを待機する。所定時間が経過すると、ステップ３５において上記ステップ３１〜３４の処理を所定回数ｍだけ行ったか否かを判定し、所定回数ｍだけ行っていないと判定した場合にはステップ３１へ戻る。所定回数ｍだけ行ったと判定した場合には、リピート再生終了通知処理を終了する。これにより、通知機能のオン・オフが所定時間毎に所定回数ｍだけ繰り返され、リピート再生終了通知が行われることになる。
【００２５】
図４は図１の装置における別のリピート再生処理を示すフローチャートである。この処理においては、リピート済み回数ｎがリピート予定回数Ｎに達する前においても、リピート済み回数ｎに応じた表示を行うにしている。ステップ４１〜４７の処理は図２におけるステップ２１〜２７の処理と同じである。
【００２６】
すなわち、選択された再生範囲の再生（ステップ４６）及び上述の監視（ステップ４１、４４、４７）を行っている間、ステップ４７においてリピート終了位置に到達したと判定した場合には、ステップ４８において、リピート済み回数ｎのカウンタＣをインクリメントする。そして、ステップ４９において、リピート済み回数ｎに応じた表示状態に遷移する。リピート済み回数ｎに応じた表示状態としては、たとえば、リピート済み回数ｎを表示部１２において表示する表示状態が該当する。
【００２７】
次に、ステップ５０において、カウンタＣの内容に基づき、リピート済み回数ｎがリピート予定回数Ｎ以上であるかどうかを判定する。リピート予定回数Ｎ以上ではないと判定した場合には、ステップ４１へ戻り、上述の監視（ステップ４１、４４、４７）、及び選択された再生範囲の再生（ステップ４６）を続行する。リピート予定回数Ｎ以上であると判定した場合には、リピート再生終了通知処理を行う。すなわち、ステップ５１及び５２において、通知機能の動作をオン状態とし、所定時間が経過するのを待機する。通知機能としては、上述のビープ音の出力機能等が該当する。所定時間が経過すると、リピート再生終了通知処理が終了する。その後、ステップ４１へ戻り、上述の監視（ステップ４１、４４、４７）、及び選択された再生範囲の再生（ステップ４６）を続行する。
【００２８】
このようにして、リピート再生を行っている間、リピート済み回数ｎに応じた表示を行うとともに（ステップ４９）、リピート済み回数ｎがリピート予定回数Ｎに達したとき、及びその後における各回の再生が終了する毎に、リピート再生終了通知が行われる（ステップ５０〜５２）。なお、ここでは、リピート再生終了通知は、単に所定時間だけビープ音の出力等を行うだけであるが、この代わりに、図２の場合のように、リピート済み回数ｎに応じて通知の態様を変化させるようにしてもよい。
【００２９】
図５は図２のステップ３０や、図４のステップ５１〜５２において適用することができるリピート再生終了通知処理の他の例を示す。この例のリピート再生終了通知処理は、リピート再生が終了したというイベントをユーザに対してより印象深く通知するものとなっている。同図（ａ）はこのリピート再生終了通知において用いられる通知機能に必要な構成を示す図であり、同図（ｂ）はこの通知機能を構成する各ＬＥＤを表示させるタイミングを示す表であり、同図（ｂ）はこのリピート再生終了通知を実現するリピート再生終了通知処理を示すフローチャートである。
【００３０】
同図（ａ）中の５６は通知機能に必要な８つのＬＥＤである。９時の位置にあるＬＥＤ５６が１番目のＬＥＤであり、以下、時計回りに、２〜８番目のＬＥＤが環状にほぼ等間隔で配置されている。
【００３１】
同図（ｂ）中の「ＬＥＤ  Ｎｏ．」の欄における「１」〜「８」は上述のＬＥＤ５６の番数である。「遅延時間（ｍｓ）」の欄における各数値は、各番数のＬＥＤ５６を点灯させるタイミングを表す遅延時間である。つまり、１番目のＬＥＤ５６を点灯させた後、５０［ｍｓ］後に２番目のＬＥＤ５６を点灯させ、１００［ｍｓ］後に３番目のＬＥＤ５６を点灯させる等を表している。
【００３２】
同図（ｃ）のリピート再生終了通知処理を開始すると、まず、ステップ５７及び５８において、同図（ｂ）の表に示される遅延時間に従い、各ＬＥＤ５６を点灯させる。これにより、各ＬＥＤ５６は順次、円を描くように点灯する。すべてのＬＥＤ５６の点灯が完了した後、ステップ５９において、全ＬＥＤ５６を、図３の処理と同様にして点滅させ、リピート再生終了通知処理を終了する。これにより、ユーザに対し、リピート再生中において、リピート済み回数ｎがリピート予定回数Ｎに達したことや、その後における各回の再生が終了したことが、印象深く通知されることになる。
【００３３】
なお、各ＬＥＤ５６を順次点灯させる際に、点灯時間を短めに設定し、グラデーション効果を付与するようにしてもよい。また、同図（ｃ）のリピート再生終了通知処理を複数回繰り返すようにしてもよい。
【００３４】
図６はリピート再生終了通知処理のさらに他の例を示す。このリピート再生終了通知処理においては、音声によりリピート再生中であることを印象付けるようにしている。すなわち、処理を開始すると、まず、ステップ６１において、「リピート再生」という音声を出力する。次に、ステップ６２において、リピート済み回数ｎに応じた音声を出力する。この後リピート再生終了通知処理を終了する。
【００３５】
たとえば、ステップ６２において、リピート予定回数Ｎが１回であるとすれば、リピート済み回数ｎが１の場合には、「終わったよ」を出力する。リピート済み回数ｎが２の場合には、「まだ聴くの」を出力する。リピート済み回数ｎが３の場合には、「もういいでしょ！」を出力する。これによりユーザに対し、リピート再生中であり、リピート予定回数Ｎ回のリピート再生、さらにはＮ＋１回、Ｎ＋２回のリピート再生が完了したことが印象付けられることになる。
【００３６】
以上説明したように本実施形態によれば、リピート再生に際し、リピート済み回数ｎがリピート予定回数Ｎに達した時点でリピート再生終了通知を行うようにしたため、再生に使用している媒体の交換や、リピート再生を行う対象や範囲の再選択等をユーザに対して促すことができる。その際、リピート予定回数Ｎに達した後も、リピート再生自体は続行するようにしたため、リピート再生終了通知のみを必要とするユーザのニーズに応えることができる。また、リピート再生終了通知に応じ、ユーザ主導でその後の操作を行うことができる。
【００３７】
また、リピート再生済み回数ｎがリピート予定回数Ｎに達した後も、リピート再生が１回終了する毎にリピート再生終了通知を行うようにしたため、リピート予定回数Ｎを超えてリピート再生を行っていることをユーザは再確認し、それをきっかけとして所望の操作を行うことができる。また、リピート再生終了通知の態様を、リピート回数ｎに応じて変化させるようにしたため（図３、図６）、ユーザは、各リピート再生終了通知を受けるとき、リピート予定回数Ｎをどの程度超えているかを認識することができる。
【００３８】
また、リピート予定回数Ｎに至る前においても、リピート済み回数ｎに応じた表示を行うようにしたため（図４）、この表示により、ユーザはリピート再生がどの程度行われたを確認することができる。
【００３９】
また、リピート再生終了通知を、ＬＥＤにより変化する図形を表示してイルミネーション的効果を付与し、さらには該図形を点滅させることにより行ったり（図５）、あるいはどの程度リピート予定回数Ｎを超えたかを示唆する音声により行ったり（図６）するようにしたため、ユーザに対し、より効果的かつ印象的にリピート再生終了通知を行うことができる。
【００４０】
また、リピート再生中に、リピート予定回数Ｎの変更や再生範囲の変更を受け入れるようにしたため、リピート再生機能をより使い勝手のよいものとすることができる。
【００４１】
なお、本発明は、上述実施形態に限定されることなく適宜変形して実施することができる。たとえば、上述においては、選択し得るリピート再生範囲の最小単位をファイル単位又はトラック単位としてるが、さらに、１つのファイル内やトラック内の任意の部分をリピート再生の範囲として選択することができるようにしてもよい。
【００４２】
また、上述においては、リピート再生終了通知は、リピート再生済み回数ｎがリピート予定回数Ｎに達したとき、及びその後の各回のリピート再生が終了する毎に行うようにしているが、リピート再生済み回数ｎがリピート予定回数Ｎに達したときのリピート再生終了通知に対してユーザが何ら操作を行わない場合には、ユーザによる設定に応じ、その後定期的にリピート再生終了通知を行うようにしてもよい。
【００４３】
また、上述においては、リピート済み回数ｎに応じた状態を示す方法として、リピート済み回数ｎを表示する方法を採用し（ステップ４９）、リピート再生終了通知を行う方法として、ＬＥＤ等をリピート済み回数ｎに応じて点滅させる等の方法を採用するというように、双方で異なる機能を用いた方法を採用するようにしているが、双方で共通の機能、たとえば表示部１２による表示機能を用いた方法を採用するようにしてもよい。たとえばリピート済み回数ｎに応じた状態として、リピート済み回数ｎを、リピート予定回数Ｎに達したか否かに拘らず常に表示した状態とし、リピート再生終了通知として、リピート済み回数ｎの表示を点滅させるようにしてもよい。
【００４４】
また、上述においては言及しなかったが、図３〜図６で示したリピート再生終了通知処理は、任意に組み合わせて用いるようにしてもよい。
【図面の簡単な説明】
【００４５】
【図１】本発明の一実施形態に係るオーディオ装置の構成を示すブロック図である。
【図２】図１の装置におけるリピート再生処理を示すフローチャートである。
【図３】図２のリピート再生処理におけるリピート再生終了通知処理の詳細を示すフローチャートである。
【図４】図１の装置における別のリピート再生処理を示すフローチャートである。
【図５】図２や図４の処理において適用することができるリピート再生終了通知処理の他の例を示す図である。
【図６】リピート再生終了通知処理のさらに他の例を示すフローチャートである。
【符号の説明】
【００４６】
１：システムマイコン、２：ＣＤメカ部、３：入力端子、４：チューナ、５：セレクタ、６：ＡＤコンバータ、７：ＤＳＰ（デジタル・シグナル・プロセッサ）、７ａ：セレクタ、８：ＤＡコンバータ、９：アンプ部、１０：スピーカ、１１：システムマイコン、１２：表示部、１３：ＲＡＭ、１４：ハードディスク、１５：メモリカード、１６：メモリカードスロット、１７：ＵＳＢメモリ、１８：ＵＳＢコントローラ、５６：ＬＥＤ。
【図１】
2010157291.tif 000003
【図２】
2010157291.tif 000004
【図３】
2010157291.tif 000005
【図５】
2010157291.tif 000006
【図４】
2010157291.tif 000007
【図６】
2010157291.tif 000008